(57)【要約】【課題】従来は、圃場に立設したホ゜ールに、一基の防霜ファンを設ける建柱式防霜ファン、又は圃場に昇降自在に設けたホ゜ールに、一基の防霜ファンを設ける低所式防霜ファンを利用し、暖気及び／又は空気を茶樹に対して送風する防霜方法・装置がある。しかし、この種の防霜方法・装置は一長一短があり、暖気が十分に活用されていないこと、殊に、低所式防霜ファンの利点が発揮されず、普及の障害となっていることが考えられている。【構成】本発明は、圃場に設けた多頭式防霜ファンに装備した多数の防霜ファンを介して逆転層の空気を吹き降ろし、この吹き降ろした空気を、圃場内に設けた各低所式防霜ファンに装備した各防霜ファンを介して圃場の作物の防霜を図り、多頭式防霜ファン一基と、低所式防霜ファン数基とを介して作物の凍霜害防止を図る構成とした多頭式防霜ファンと低所式防霜ファンとを利用した圃場用防霜方法である。従って、防霜効果を発揮できる。暖気を有効利用できる。【選択図】    図３
2004162557.tif 000002
【特許請求の範囲】
【請求項１】
多数の防霜ファンを装備した多頭式防霜ファンを圃場に立設し、この多数の防霜ファンを介して逆転層の空気を吹き降ろす、この空気を吹き降ろす方法を介して圃場作物の一部の防霜を図り、
また低所式防霜ファンを圃場に設ける箇所を、多頭式防霜ファンの防霜ファンによる吹き降ろした空気の到達距離内とし、この防霜ファンを介して前記吹き降ろした空気を送風する方法を介して圃場作物の他部の防霜を図り、
前記少なくとも多頭式防霜ファン一基と、低所式防霜ファン数基とを介して前記作物の凍霜害防止を図る構成とした多頭式防霜ファンと低所式防霜ファンとを利用した圃場用防霜方法。
【請求項２】
多数の防霜ファンを装備した多頭式防霜ファンを圃場に立設し、この多数の防霜ファンを介して逆転層の空気を吹き降ろす、この空気を吹き降ろす方法を介して圃場作物の一部の防霜を図り、
また低所式防霜ファンを圃場に設ける箇所を、多頭式防霜ファンの防霜ファンによる吹き降ろした空気の到達距離内とし、この防霜ファンを介して前記吹き降ろした空気を略水平方向に送風する方法を介して圃場作物の他部の防霜を図り、
前記少なくとも多頭式防霜ファン一基と、低所式防霜ファン数基とを介して前記作物の凍霜害防止を図る構成とした多頭式防霜ファンと低所式防霜ファンとを利用した圃場用防霜方法。
【請求項３】
請求項１又は請求項２に記載の多頭式防霜ファンを利用して逆転層の空気を吹き降ろし、この吹き降ろした空気の重畳部の送風距離の拡大を利用して、前記一部の防霜効果面積を、略１．２〜１．５倍程度拡大することを特徴とした多頭式防霜ファンと低所式防霜ファンとを利用した圃場用防霜方法。
【請求項４】
請求項１又は請求項２に記載の低所式防霜ファンは、茶樹等の作物内に収容可能とした昇降式の低所式防霜ファンである多頭式防霜ファンと低所式防霜ファンとを利用した圃場用防霜方法。
【請求項５】
請求項１又は請求項２に記載の低所式防霜ファンは、圃場内の作物に跨り設けられた移動式の低所式防霜ファンである多頭式防霜ファンと低所式防霜ファンとを利用した圃場用防霜方法。
【請求項６】
請求項１又は請求項２に記載の低所式防霜ファンの防霜ファンを圃場の中に立設する箇所を、多頭式防霜ファンの防霜ファンによる吹き降ろした空気の到達距離内であって、この到達距離内の略先端部とし、前記吹き降ろした空気の一部を、送風する構成の多頭式防霜ファンと低所式防霜ファンとを利用した圃場用防霜方法。
【請求項７】
圃場の枕地に立設したホ゜ールに設置した多頭式防霜ファンと、圃場の中に立設した数基の低所形防霜ファンとで構成した多頭式防霜ファンと低所式防霜ファンとを利用した圃場用防霜装置であって、
この多頭式防霜ファンは、前記ホ゜ールに設けた取付け板と、この取付け板に立設した支持柱と、この支持柱にそれぞれ設けた多数の防霜ファンとで構成するとともに、この支持柱の高さの違いを利用して、この多数の防霜ファンの取付け位置を圃場に対して異ならしめることを特徴とし、
また前記数基の低所形防霜ファンは、圃場に設けた昇降自在に設けた多数本のホ゜ールと、この各ホ゜ールにそれぞれ設けた俯角調整及び／又は首振り自在の防霜ファンとで構成し、この防霜ファンを茶樹等の作物内に収容可能としたことを特徴とした構成の多頭式防霜ファンと低所式防霜ファンとを利用した圃場用防霜装置。
【請求項８】
請求項７に記載の多頭式防霜ファン一基に対して、低所式防霜ファンを数基とした構成の多頭式防霜ファンと低所式防霜ファンとを利用した圃場用防霜装置。
【発明の詳細な説明】
【０００１】
【発明の属する技術分野】
この発明は、多頭式防霜ファンと低所式防霜ファンとを採用し、逆転層（暖気層）の空気（暖気）を利用した圃場用防霜方法と、その装置に関する。
【０００２】
【従来の技術】
周知の如く、茶園（茶畠）、桑畠、果樹園、果菜類、野菜類等圃場（農場）の凍霜害防止方法（防霜方法及び／又は蒸れ防止等）の中で、簡便な設置と、低コストの方法として、防霜ファン装置（防霜ファン）と、この防霜ファンによる逆転層の空気（暖気）を利用する方法が重宝されている。この利用方法の一例を、茶園の例を基に説明する。圃場の枕地及び／又は圃場内に立設した建柱上に、一基の水平首振り自在な防霜ファンを設け、防霜ファンの地表面に対する俯角を約１５ー〜約５０ー程度（一例である。）とし、この状態で防霜ファンの水平首振りと、防霜ファンの俯角を利用して圃場の地表面で、平面視して略９０°〜１２０°の扇形の面積に対して逆転層の暖気を吹き降ろす装置である（建柱式防霜ファン「装置」）。この建柱式防霜ファンでは、通常は、略々１５０秒以内（一例である）に、最初の箇所に戻る（霜の降りる前に戻る）ことが望ましい条件であるので、前記の扇形の面積と考えた場合には、逆転層の空気（吹き降ろした空気（暖気））の到達距離は、略々３０〜５５ｍ程度となる（一例である）。尚、前述した逆転層の内容は、先行文献で記述された技術であり、例えば、特開平７−１１５８５５号の凍霜害防除方法とその装置、特開平８−２４２７０７号の霜害防止装置、等において記述されている。
【０００３】
そして、この建柱式防霜ファンは、吹き降ろした空気（暖気）を利用して効率的に防霜ができる特徴を発揮できる反面、次のような問題点が指摘されている。▲１▼近時、茶園の近代化、及び高齢化、人手不足等の見地から、乗用式、又はレール式、クローラー式等の大型の茶刈機、大型の防除機等の大型の茶園管理装置が導入される傾向から、圃場内に立設する建柱が邪魔となり、これらの大型の茶園管理装置の導入が図れないこと、▲２▼建柱式防霜ファンでは、防霜ファン一基による防霜効果は、必ずしも十分でなく、多数の建柱式防霜ファンが必要となり、設備費、維持管理費等が嵩むこと、等である。
【０００４】
近時、この問題の解決策として、昇降式の低所式防霜ファン「装置」、又は移動式の低所式防霜ファン「装置」等（以下、総称する場合には、低所式防霜ファンとする）が挙げられている。この昇降式の低所式防霜ファン装置では、茶樹内に容易に収容できること、又は茶園管理装置を使用する際には、茶樹内に収容できるので、障害とならないこと、等の特徴があり重宝される。また移動式の低所式防霜ファンでは、茶園管理装置を使用する際には、圃場から退避することで、障害とならないこと、又は倉庫等に容易に収容できること、圃場では所望する箇所での送風ができること、等の特徴があり重宝される。この低所式防霜ファンの常温空気の到達距離は、略々２８〜３８ｍ程度となる（一例である）。
【０００５】
この低所式防霜ファンは、前述の特徴が発揮できる反面、次のような問題点が指摘されている。▲１▼低所式防霜ファンでは、暖気を捉える（キャッチする）ことができないことから、防霜効果が、必ずしも十分でないこと、▲２▼低所式防霜ファンの台数が多くなること、等である。
【０００６】
【発明が解決しようとする課題】
前述の如く、建柱式防霜ファン、又は低所式防霜ファン等は一長一短があり、十分に活用されていないのが現況である。殊に、低所式防霜ファンの利点が発揮できず、逆に普及の障害となっていると考えられている。
【０００７】
上記に鑑み本発明は、建柱式防霜ファンでは、暖気を捉えることで、十分な防霜効果を発揮すること、また多頭式建柱式防霜ファンにより、防霜効果を発揮すること、等を意図する。一方、低所式防霜ファンでは、低所式防霜ファンの効率的な設置と、これにより大型の茶園管理装置の導入が図れること、また低所式防霜ファンの台数を少なくすること、等を意図する。そして、総合的には、この建柱式防霜ファン及び／又は低所式防霜ファン等の利点を最大限に発揮しつつ、その相乗効果を図ること、又は効率的に防霜効果を発揮すること、等を意図する。
【０００８】
【課題を解決するための手段】
請求項１の発明は、逆転層の空気を多頭式防霜ファンで捉え、この空気を低所式防霜ファンに供給する手段を採用して、防霜効果を発揮すること、又は吹き降ろした空気を送風し、この空気を有効利用すること、等を意図する。そして、低所式防霜ファンの特徴を最大限に発揮すること、また例えば、大型の茶園管理装置の確実かつ簡易な使用に途を開くこと、又は昨今の農業環境に対応すること、人的手段の不足と、労力の軽減化等を図ること、等を目的とする。
【０００９】
請求項１は、多数の防霜ファンを装備した多頭式防霜ファンを圃場に立設し、この多数の防霜ファンを介して逆転層の空気を吹き降ろす、この空気を吹き降ろす方法を介して圃場作物の一部の防霜を図り、
また低所式防霜ファンを圃場に設ける箇所を、多頭式防霜ファンの防霜ファンによる吹き降ろした空気の到達距離内とし、この防霜ファンを介して前記吹き降ろした空気を送風する方法を介して圃場作物の他部の防霜を図り、
前記少なくとも多頭式防霜ファン一基と、低所式防霜ファン数基とを介して前記作物の凍霜害防止を図る構成とした多頭式防霜ファンと低所式防霜ファンとを利用した圃場用防霜方法である。
【００１０】
請求項２の発明は、逆転層の空気を多頭式防霜ファンで捉え、この空気を低所式防霜ファンに供給する手段を採用して、防霜効果を発揮すること、又は吹き降ろした空気を略水平方向に送風し、この空気を有効利用すること、等を意図する。そして、低所式防霜ファンの特徴を最大限に発揮すること、また大型の茶園管理装置の確実かつ簡易な使用に途を開くこと、又は昨今の農業環境に対応すること、人的手段の不足と、労力の軽減化等を図ること、等を目的とする。
【００１１】
請求項２は、多数の防霜ファンを装備した多頭式防霜ファンを圃場に立設し、この多数の防霜ファンを介して逆転層の空気を吹き降ろす、この空気を吹き降ろす方法を介して圃場作物の一部の防霜を図り、
また低所式防霜ファンを圃場に設ける箇所を、多頭式防霜ファンの防霜ファンによる吹き降ろした空気の到達距離内とし、この防霜ファンを介して前記吹き降ろした空気を略水平方向に送風する方法を介して圃場作物の他部の防霜を図り、
前記少なくとも多頭式防霜ファン一基と、低所式防霜ファン数基とを介して前記作物の凍霜害防止を図る構成とした多頭式防霜ファンと低所式防霜ファンとを利用した圃場用防霜方法である。
【００１２】
請求項３の発明は、請求項１又は請求項２の目的を達成しつつ、多頭式低所式防霜ファンの重畳効果を最大限に発揮できる方法、又は吹き降ろした空気を、確実、かつ効率的に捉える方法を提供する。
【００１３】
請求項３は、請求項１又は請求項２に記載の多頭式防霜ファンを利用して逆転層の空気を吹き降ろし、この吹き降ろした空気の重畳部の送風距離の拡大を利用して、前記一部の防霜効果面積を、略１．２〜１．５倍程度拡大することを特徴とした多頭式防霜ファンと低所式防霜ファンとを利用した圃場用防霜方法である。
【００１４】
請求項４の発明は、請求項１又は請求項２の目的を達成しつつ、昇降式の低所式防霜ファンを介して吹き降ろした空気を、確実、かつ効率的に捉える方法を提供する。また低所式防霜ファンの収容を介して大型の茶園管理装置を、確実かつ簡易に使用するための方法を提供する。
【００１５】
請求項４は、請求項１又は請求項２に記載の低所式防霜ファンは、茶樹等の作物内に収容可能とした昇降式の低所式防霜ファンである多頭式防霜ファンと低所式防霜ファンとを利用した圃場用防霜方法である。
【００１６】
請求項５の発明は、請求項１又は請求項２の目的を達成しつつ、移動式の低所式防霜ファンを介して吹き降ろした空気を、確実、かつ効率的に捉える方法を提供する。
【００１７】
請求項５は、請求項１又は請求項２に記載の低所式防霜ファンは、圃場内の作物に跨り設けられた移動式の低所式防霜ファンである多頭式防霜ファンと低所式防霜ファンとを利用した圃場用防霜方法である。
【００１８】
請求項６の発明は、請求項１又は請求項２の目的を達成しつつ、さらに遠くに送風し、この送風を介して防霜ファンの吹き降ろした空気を、確実、かつ効率的に送風し、防霜効果の拡充を図ることを意図する。
【００１９】
請求項６は、請求項１又は請求項２に記載の低所式防霜ファンの防霜ファンを圃場の中に立設する箇所を、多頭式防霜ファンの防霜ファンによる吹き降ろした空気の到達距離内の略先端部として、前記吹き降ろした空気を、確実に捉え、この空気を、略茶樹の畝方向に送風する構成の多頭式防霜ファンと低所式防霜ファンとを利用した圃場用防霜方法である。
【００２０】
請求項７の発明は、逆転層の空気を多頭式防霜ファンで捉え、この空気を低所式防霜ファンに供給する手段を採用して、防霜効果を発揮し、かつ吹き降ろした空気を有効利用できる圃場用防霜装置を提供する。そして、低所式防霜ファンの特徴を最大限に発揮し、また茶園管理装置の確実かつ簡易な使用に途を開き、昨今の農業環境に対応して、人的手段の不足と、労力の軽減化等が図れる圃場用防霜装置を提供する。
【００２１】
請求項７は、圃場の枕地に立設したホ゜ールに設置した多頭式防霜ファンと、圃場の中に立設した数基の低所式防霜ファンとで構成した多頭式防霜ファンと低所式防霜ファンとを利用した圃場用防霜装置であって、
この多頭式防霜ファンは、前記ホ゜ールに設けた取付け板と、この取付け板に立設した支持柱と、この支持柱にそれぞれ設けた多数の防霜ファンとで構成するとともに、この支持柱の高さの違いを利用して、この多数の防霜ファンの取付け位置を圃場に対して異ならしめることを特徴とし、
また前記数基の低所式防霜ファンは、圃場に設けた昇降自在に設けた多数本のホ゜ールと、この各ホ゜ールにそれぞれ設けた俯角調整及び／又は首振り自在の防霜ファンとで構成し、この防霜ファンを茶樹等の作物内に収容可能としたことを特徴とした構成の多頭式防霜ファンと低所式防霜ファンとを利用した圃場用防霜装置である。
【００２２】
請求項８の発明は、請求項７の目的を達成しつつ、さらに遠く、かつ広範囲に送風し、この送風を介して防霜ファンの吹き降ろした空気を、確実、かつ効率的に送風し、防霜効果の拡充を図ることを意図する。
【００２３】
請求項８は、請求項７に記載の多頭式防霜ファン一基に対して、低所式防霜ファンを数基とした構成の多頭式防霜ファンと低所式防霜ファンとを利用した圃場用防霜装置である。
【００２４】
【発明の実施の形態】
以下、本発明の一実施態様を図１〜図３に示した一例を基に説明する。地上より略６〜８ｍに設けた固定方式及び／又は首振り式の多頭式防霜ファンで、逆転層の暖気を捉え、この暖気を圃場に向って吹き降ろす。この際に、多頭式防霜ファンであることから、暖気が多岐に亙って吹き降ろされる（送風される）。そして、図４の並列方式では、略同じ吹き降ろし角度及び／又は略同じ距離に向って送風される。また図５〜図７の如く、圃場の水平面に対する位置関係が高低の場合には、異なる吹き降ろし角度及び／又は略遠近距離に向って送風される。従って、圃場作物の一部（Ｘ１）の防霜が図れる。また地形及び／又は気候条件等に合わせた吹き降ろし、又は略水平方向等の送風も可能である。この吹き降ろした空気の送風は、後述する圃場及び／又は低所式防霜ファンに確実に達するので、防霜効果と、低所式防霜ファンへの吹き降ろした空気の送風とが図れる。
【００２５】
そして、この各送風位置には、それぞれ低所式防霜ファンを配置する構成であるので、吹き降ろされた暖気は、この低所式防霜ファンを介して略茶樹の上面を這うようにして送風される。従って、空中の暖気を、多頭式防霜ファンで捉え、この暖気を低所式防霜ファンに供給し、防霜効果を十分発揮できること、又は暖気の有効利用が図れる特徴がある。これにより、圃場作物の他部（Ｘ２）の防霜が図れる。また地形（平地、傾斜地、凹凸、ランタ゛ム等の圃場）及び／又は気候条件（気流の流れ、気温の高低）等に合わせた吹き降ろし及び／又は略水平方向の送風等もできる。尚、この多頭式防霜ファンにより、逆転層の空気を捉え、この空気を吹き降ろし、この吹き降ろした空気の重畳部（Ｗ）の送風距離の拡大が利用できるので、一部の防霜効果面積を、略１．２〜１．５倍程度拡大できることを実験で確認しており（尚、略１．２〜１．６倍程度は可能である）、大きな防霜効果の拡充が期待できる（尚、低所式防霜ファンを首振りした場合には、このような重畳部の送風も期待できる）。
【００２６】
そして、低所式防霜ファンの特徴を最大限に発揮して、広い面積に亙って送風（多頭式防霜ファンからの吹き降ろした空気を、確実に数基の低所式防霜ファンに順に送る）、又は略水平方向に送風して（多頭式防霜ファンからの暖気を、数基の低所式防霜ファンで略水平方向に送って）、この広い面積の防霜効果が図れる。この低所式防霜ファンの採用は、大型の茶園管理装置の確実かつ簡易な使用に途を開くこと、又は昨今の農業環境に対応できること、人的手段の不足と、労力の軽減化等が図れること、等の実益がある。さらに多頭式防霜ファンの吹き降ろし又は各種の送風を介してより地形及び／又は気候条件、茶樹の成長、状況、或いは気象等の如く、種々の条件に対応した取扱いができること、また防霜効果、又は摘採（茶刈り）、防除等が図れる。尚、この低所式防霜ファンにおいても、地形及び／又は気候条件等に合わせた吹き降ろし及び／又は略水平方向の送風等もできる。
【００２７】
この多頭式防霜ファンは、固定方式（前述の通り）と、可動方式（首振り方式、又は必要により、俯角調整方式）とができる。その一例は、図１０に示した各種のハ゜ターンがある。基本は、固定方式及び／又は首振り方式であるが、いずれにしても、吹き降ろす空気を所定面積と方向に吹き降ろす。勿論、この各種ハ゜ターンに、必要により、俯角調整方式（傾斜角度が調整可能）を組み合わせる。例えば、固定方式及び／又は首振り方式と俯角調整方式を採用して、広範な箇所及び／又はエリアに吹き降ろした空気を送風する。即ち、多頭式防霜ファンを利用した各種ハ゜ターンと各方式を採用して、防霜効果（凍霜害防止）、又は枯れ防止等が図れる（他の例も同じ）。いずれにしても、茶樹を急冷、急暖から保護して、緩やかに適温空気を送風することで、防霜効果と、前記各種の防止を図る。図中「固定」は、防霜ファンが停止する状態を、また「首振り」は、防霜ファンが首振りする状態を、それぞれ意味する（以下、同じ）。
【００２８】
尚、この多頭式防霜ファンと低所式防霜ファンとを利用した圃場用防霜方法を採用することで、各種の果菜類、野菜類等圃場（農場）の防霜方法及び／又は蒸れ防止等が図れて、品質が良く、かつ美味な米、麦、野菜、果物、果実、花類等の作物の生育、収穫、大きさの拡充等が図れること、又は芝、木、植物等の生物の生育、管理等ができること、等の特徴がある。そして、またこれらの早生栽培に途を開くこと、又は生育、栽培等に最適な環境を提供できること、また栽植の最適化とその維持、又は植木・樹の植栽本数の向上が図れること、等の実益がある。また腐敗の防止、害虫の被害防止等に役立つ特徴がある。
【００２９】
この低所式防霜ファンの可動に対しては、図１１に示した各種のハ゜ターンがある。その基本は、水平首振り方式（略水平方向に送風）であるが、固定方式と各種の組み合わせがある。しかし、いずれにしても、吹き降ろす空気を所定面積に向って水平首振り方式で送風する。しかし、この各種ハ゜ターンと俯角調整方式との組み合わせもあり、例えば、水平首振り方式及び／又は固定方式と俯角調整方式を採用して、送風角度を可変として、吹き降ろす空気を多様な箇所等に略水平方向に送風する。またこの低所式防霜ファンを設置する箇所の基本は、多頭式防霜ファンの吹き降ろす空気を捉える位置であり、例えば、当該低所式防霜ファンの最も効率的な設置は、吹き降ろす空気の先端部である。
【００３０】
そして、いずれにしても、温度が低い区域には、暖気を固定方式（連続的）に送風し、また温度が高い区域には、暖気を首振り方式（間欠的）で送風して凍霜害防止を図る。
【００３１】
【実施例】
以下、本発明の一実施例を説明する。尚、本発明では、同じ構造の部品は、同じ番号及び名称を使用する。
【００３２】
１は圃場Ｈの枕地Ｈ１（大型の茶園管理装置の走行に障害とならない箇所）に立設した多頭式防霜ファンで、この多頭式防霜ファン１は、枕地Ｈ１に立設したホ゜ール２と、このホ゜ール２に設けた取付け板３と、この取付け板３に設けた支持柱４上に設置されている。そして、この多頭式防霜ファン１の好ましい一例を説明する。図４〜図７の例では、多頭式防霜ファン１は、首振機構１００（必要により設けられる）と、この首振機構１００に（必要により枢軸又は長孔を介して）設けた架台１０１と、この架台１０１に設けたモータヘ゛ース１０２と、このモータヘ゛ース１０２に設けたモータ１０３と、ファン１０４とで構成される。前記首振機構１００を利用することで、首振りが可能となる。また前記枢軸と長孔とを利用することで、モータヘ゛ース１０２を可動して俯角調整が可能となる。この俯角調整は一例であり、限定されない。そして、図５〜図７の如く、支持柱４の長さを変更することで、防霜用のファン１０４の高さを可変する（圃場Ｈの水平面Ｈ２に対する位置関係を高低とする）。支持柱４による高低は一例であり、他の手段もあり得る。図中Ａは茶樹を示す。図例の多頭式防霜ファン１は、一例であり、枠体にセットされたファン（図示せず）等の構成も採用できる。また首振機構１００は、図示しないが、簡易な構成として、例えば、支持柱４に可動可能（首振り及び／又は俯角調整可能）に設けた支持枠と、この支持枠に設けたモータと、で構成することも可能である。
【００３３】
１０は昇降式の低所式防霜ファンで、この昇降式の低所式防霜ファン１０の好ましい一例を説明する。図８に示してあり、当該昇降式の低所式防霜ファン１０は、圃場Ｈの地面Ｈ３に埋設した埋設ホ゜ール２０ａに昇降自在に設けたホ゜ール２０に設置されている。そして、この昇降式の低所式防霜ファン１０は、必要により設けられる首振機構１００と、この首振機構１００に設けた架台１０１と、この架台１０１に軸１０１ａを介して設けたヘ゛ース１０２ａと、このヘ゛ース１０２ａに設けたモータヘ゛ース１０２と、このモータヘ゛ース１０２に設けたモータ１０３と、ファン１０４と、カ゛ート゛１０５（ストレートカ゛ート゛、スクリューカ゛ート゛、又はクロスカ゛ート゛等）とで構成される。そして、前記首振機構１００を利用することで、首振りが可能となる（他の例も同じ）。また前記枢軸及び長孔とを利用することで、モータヘ゛ース１０２を可動して俯角調整が可能となる（他の例も同じ）。この俯角調整は一例であり、限定されない。またファン１０４は、固定方式も可能である。この固定方式では、集中送風が可能となるので、低い区域への送風に有益であること、この箇所又は所定箇所の防霜効果が図れる（他の例も同じ）。尚、昇降式の低所式防霜ファン１０が理想であるが、立設式の低所式防霜ファン（図示せず）もあり得る。この昇降式の低所式防霜ファン１０は、ホ゜ール２０が埋設ホ゜ール２０ａ内に収容された状態で茶樹Ａ内に存在する。この昇降式の低所式防霜ファン１０は、多頭式防霜ファン１の吹き降ろす空気を捉える（キャッチできる）位置に設置し、例えば、吹き降ろした空気の到達距離内の略先端部として、吹き降ろした空気を捉える。しかし限定されず、当該昇降式の低所式防霜ファン１０は、吹き降ろす空気の達する箇所に、一基又は数基設置する。
【００３４】
３０は移動式の低所式防霜ファンで、この移動式の低所式防霜ファン３０は圃場Ｈの地面Ｈ３に埋設したレールＨ４に添って移動する。そして、この移動式の低所式防霜ファン３０の好ましい一例を示す図９の例では、当該移動式の低所式防霜ファン３０は、車輪３０１を備えたフレーム３００に設けたヘ゛ース３０２と、このヘ゛ース３０２に必要により設けられる首振機構１００と、この首振機構１００に設けた架台１０１と、この架台１０１に設けたモータヘ゛ース１０２と、このモータヘ゛ース１０２に設けたモータ１０３と、ファン１０４とで構成される。他は前述の昇降式の低所式防霜ファン１０に準ずる。
この移動式の低所式防霜ファン３０は、圃場Ｈの適所に移動し、希望する箇所及び／又は霜の降り易い箇所等における防霜を図ること、又は倉庫への収容も可能であること、等から重宝する。尚、この移動式の低所式防霜ファン３０は、多頭式防霜ファン１の吹き降ろす空気を捉える位置に設置し、この吹き降ろす空気の達する箇所に、一基又は数基設置する。他は前述の昇降式の低所式防霜ファン１０に準ずる。
【００３５】
尚、図示しないが、多頭式防霜ファン１を設置する位置関係は、上下一列方式、数段の並列方式、上下ランタ゛ム方式、三角配置方式（図示した）、三角ランタ゛ム方式等の変更例もあり得る。この各例では、送風の方向、重なりによる送風距離の拡充等が期待できる。さらに多頭式防霜ファン１と昇降式の低所式防霜ファン１０の図１０、図１１とを、個別に選択して組合せることは勿論可能であり、一層の防霜効果と、圃場・気候・茶樹等の状況、等に有効に対処できる利点がある。
【００３６】
【発明の効果】
請求項１の発明は、多数の防霜ファンを装備した多頭式防霜ファンを圃場に立設し、この多数の防霜ファンを介して逆転層の空気を吹き降ろす、この空気を吹き降ろす方法を介して圃場作物の一部の防霜を図り、また低所式防霜ファンを圃場に設ける箇所を、多頭式防霜ファンの防霜ファンによる吹き降ろした空気の到達距離内とし、防霜ファンを介して吹き降ろした空気を送風（順送）する方法を介して圃場作物の他部の防霜を図り、少なくとも多頭式防霜ファン一基と、低所式防霜ファン数基とを介して作物の凍霜害防止を図る構成とした多頭式防霜ファンと低所式防霜ファンとを利用した圃場用防霜方法である。従って、逆転層の空気を多頭式防霜ファンで捉え、この空気を吹き降ろす空気として低所式防霜ファンに供給する手段を採用して、防霜効果を発揮できること、又は暖気を有効利用できること、等の特徴がある。そして、低所式防霜ファンの特徴を最大限に発揮できること、また大型の茶園管理装置の確実かつ簡易な使用に途が開けること、又は昨今の農業環境に対応できること、人的手段の不足と、労力の軽減化等が図れること、等の実益がある。
【００３７】
請求項２の発明は、多数の防霜ファンを装備した多頭式防霜ファンを圃場に立設し、多数の防霜ファンを介して逆転層の空気を吹き降ろす、この空気の吹き降ろす方法を介して圃場作物の一部の防霜を図り、また低所式防霜ファンを圃場に設ける箇所を、多頭式防霜ファンの防霜ファンによる吹き降ろした空気の到達距離内とし、防霜ファンを介して前記吹き降ろした空気を略水平方向に送風する方法を介して圃場作物の他部の防霜を図り、少なくとも多頭式防霜ファン一基と、低所式防霜ファン数基とを介して作物の凍霜害防止を図る構成とした多頭式防霜ファンと低所式防霜ファンとを利用した圃場用防霜方法である。従って、逆転層の空気を多頭式防霜ファンで捉え、この空気を低所式防霜ファンに供給する手段を採用して、防霜効果を発揮すること、又は吹き降ろした空気を略水平方向に送風し、この空気を有効利用できること、等の特徴がある。そして、低所式防霜ファンの特徴を最大限に発揮すること、また大型の茶園管理装置の確実かつ簡易な使用に途を開くこと、又は昨今の農業環境に対応できること、人的手段の不足と、労力の軽減化等が図れること、等の実益がある。
【００３８】
請求項３の発明は、請求項１又は請求項２に記載の多頭式防霜ファンを利用して逆転層の空気を吹き降ろし、この吹き降ろした空気の重畳部の送風距離の拡大を利用して、前記一部の防霜効果面積を、略１．２〜１．５倍程度拡大することを特徴とした多頭式防霜ファンと低所式防霜ファンとを利用した圃場用防霜方法である。従って、請求項１又は請求項２の目的を達成しつつ、多頭式低所式防霜ファンの重畳効果を最大限に発揮できる方法、又は吹き降ろした空気を、確実、かつ効率的に捉える方法を提供できる。
【００３９】
請求項４の発明は、請求項１又は請求項２に記載の低所式防霜ファンは、茶樹等の作物内に収容可能とした昇降式の低所式防霜ファンである多頭式防霜ファンと低所式防霜ファンとを利用した圃場用防霜方法である。従って、請求項１又は請求項２の目的を達成しつつ、昇降式の低所式防霜ファンを介して吹き降ろした空気を、確実、かつ効率的に捉える方法を提供できる。また低所式防霜ファンの収容を介して茶園管理装置を、確実かつ簡易に使用するための方法を提供できる。
【００４０】
請求項５の発明は、請求項１又は請求項２に記載の低所式防霜ファンは、圃場内の作物に跨り設けられた移動式の低所式防霜ファンである多頭式防霜ファンと低所式防霜ファンとを利用した圃場用防霜方法である。従って、請求項１又は請求項２の目的を達成しつつ、移動式の低所式防霜ファンを介して吹き降ろした空気を、確実、かつ効率的に捉える方法を提供できる。
【００４１】
請求項６の発明は、請求項１又は請求項２に記載の低所式防霜ファンの防霜ファンを圃場の中に立設する箇所を、多頭式防霜ファンの防霜ファンによる吹き降ろした空気の到達距離内の略先端部として、吹き降ろした空気を、確実に捉え、この空気を、略茶樹の畝方向に送風する構成の多頭式防霜ファンと低所式防霜ファンとを利用した圃場用防霜方法である。従って、請求項１又は請求項２の目的を達成しつつ、さらに遠くに送風できること、またこの送風を介して防霜ファンの吹き降ろした空気を、確実、かつ効率的に送風し、防霜効果の拡充が図れること、等の特徴がある。
【００４２】
請求項７の発明は、圃場の枕地に立設したホ゜ールに設置した多頭式防霜ファンと、圃場の中に立設した数基の低所式防霜ファンとで構成した多頭式防霜ファンと低所式防霜ファンとを利用した圃場用防霜装置で、多頭式防霜ファンは、ホ゜ールに設けた取付け板と、取付け板に立設した支持柱と、支持柱にそれぞれ設けた多数の防霜ファンとで構成するとともに、支持柱の高さの違いを利用して、多数の防霜ファンの取付け位置を圃場に対して異ならしめることを特徴とし、また数基の低所式防霜ファンは、圃場に設けた昇降自在に設けた多数本のホ゜ールと、各ホ゜ールにそれぞれ設けた俯角調整及び／又は首振り自在の防霜ファンとで構成し、防霜ファンを茶樹等の作物内に収容可能としたことを特徴とした構成の多頭式防霜ファンと低所式防霜ファンとを利用した圃場用防霜装置である。従って、逆転層の空気を多頭式防霜ファンで捉え、この空気を低所式防霜ファンに供給する手段を採用して、防霜効果を発揮し、かつ吹き降ろした空気を有効利用できる圃場用防霜装置を提供できる。そして、低所式防霜ファンの特徴を最大限に発揮し、また茶園管理装置の確実かつ簡易な使用に途を開き、昨今の農業環境に対応して、人的手段の不足と、労力の軽減化等が図れる圃場用防霜装置を提供できる。
【００４３】
請求項８の発明は、請求項７に記載の多頭式防霜ファン一基に対して、低所式防霜ファンを数基とした構成の多頭式防霜ファンと低所式防霜ファンとを利用した圃場用防霜装置である。従って、請求項７の目的を達成しつつ、さらに遠く、かつ広範囲に送風し、この送風を介して防霜ファンの吹き降ろした空気を、確実、かつ効率的に送風し、防霜効果の拡充が図れること、等の特徴がある。
【図面の簡単な説明】
【図１】多頭式防霜ファンと昇降式の低所式防霜ファンとを利用した圃場用防霜方法の模式図
【図２】多頭式防霜ファンと移動式の低所式防霜ファンとを利用した圃場用防霜方法の模式図
【図３】多頭式防霜ファンと低所式防霜ファンとの空気の分布を説明した俯瞰図
【図４】多頭式防霜ファンの一例で水平状態に防霜ファンを設けた例を示し、（イ）は正面図、（ロ）は側面図
【図５】多頭式防霜ファンの一例で高低状態に防霜ファンを設けた例を示し、（イ）は正面図、（ロ）は側面図
【図６】多頭式防霜ファンの他の一例で高低状態に防霜ファンを設けた例を示し、（イ）は正面図、（ロ）は側面図
【図７】多頭式防霜ファンの他の一例で高低状態に防霜ファンを設けた好ましい例を示し、（イ）は側面図、（ロ）は（イ）の俯角調整（下向きに傾斜）した側面図
【図８】昇降式の低所式防霜ファンの一例を示した側面図
【図９】移動式の低所式防霜ファンの一例を示した斜視図
【図１０】多頭式防霜ファンの駆動ハ゜ターンを示した図表
【図１１】低所式防霜ファンの駆動ハ゜ターンを示した図表
【符号の説明】
１        多頭式防霜ファン
１００      首振機構
１０１      架台
１０１ａ    軸
１０２      モータヘ゛ース
１０２ａ    ヘ゛ース
１０３      モータ
１０４      ファン
１０５      カ゛ート゛
２        ホ゜ール
３        取付け板
４        支持柱
１０      昇降式の低所式防霜ファン
２０      ホ゜ール
２０ａ      埋設ホ゜ール
３０      移動式の低所式防霜ファン
３００      フレーム
３０１      車輪
３０２      ヘ゛ース
Ｈ        圃場
Ｈ１      枕地
Ｈ２      水平面
Ｈ３      地面
Ｈ４      レール
Ｘ１      圃場作物の一部
Ｘ２      圃場作物の他部
Ａ        茶樹
（Ｗ）      重畳部
【図１】
2004162557.tif 000003
【図２】
2004162557.tif 000004
【図３】
2004162557.tif 000005
【図４】
2004162557.tif 000006
【図５】
2004162557.tif 000007
【図６】
2004162557.tif 000008
【図７】
2004162557.tif 000009
【図８】
2004162557.tif 000010
【図９】
2004162557.tif 000011
【図１０】
2004162557.tif 000012
【図１１】
2004162557.tif 000013
【手続補正書】
【提出日】平成14年11月12日(2002.11.12)
【手続補正１】
【補正対象書類名】明細書
【補正対象項目名】０００２
【補正方法】変更
【補正の内容】
【０００２】
【従来の技術】
周知の如く、茶園（茶畠）、桑畠、果樹園、果菜類、野菜類等圃場（農場）の凍霜害防止方法（防霜方法及び／又は蒸れ防止等）の中で、簡便な設置と、低コストの方法として、防霜ファン装置（防霜ファン）と、この防霜ファンによる逆転層の空気（暖気）を利用する方法が重宝されている。この利用方法の一例を、茶園の例を基に説明する。圃場の枕地及び／又は圃場内に立設した建柱上に、一基の水平首振り自在な防霜ファンを設け、防霜ファンの地表面に対する俯角を約１５°〜約５０°程度（一例である。）とし、この状態で防霜ファンの水平首振りと、防霜ファンの俯角を利用して圃場の地表面で、平面視して略９０°〜１２０°の扇形の面積に対して逆転層の暖気を吹き降ろす装置である（建柱式防霜ファン「装置」）。この建柱式防霜ファンでは、通常は、略々１５０秒以内（一例である）に、最初の箇所に戻る（霜の降りる前に戻る）ことが望ましい条件であるので、前記の扇形の面積と考えた場合には、逆転層の空気（吹き降ろした空気（暖気））の到達距離は、略々３０〜５５ｍ程度となる（一例である）。尚、前述した逆転層の内容は、先行文献で記述された技術であり、例えば、特開平７−１１５８５５号の凍霜害防除方法とその装置、特開平８−２４２７０７号の霜害防止装置、等において記述されている。